(57)【特許請求の範囲】
【請求項１】
紙基材を折り曲げて頂面と底面と複数の側面を形成して成る紙容器本体に備える紙容器の開封再栓装置であって、
前記開封再栓装置は前記頂面に形成された内容液注出用の開口予定部を覆って前記頂面に固着される本体部と、前記開口予定部を開封及び再栓する差込プラグとから成り、前記本体部の外縁部に前記差込プラグを着脱自在に保持する保持部を備える一方、前記本体部に前記開口予定部と同芯で内容液の注出口が前記差込プラグの差込口を兼ねて形成されることを特徴とする紙容器の開封再栓装置。
【請求項２】
請求項１に記載の紙容器の開封再栓装置であって、前記本体部に前記注出口を覆うカバーを備えることを特徴とする紙容器の開封再栓装置。
【請求項３】
請求項１又は請求項２に記載の紙容器の開封再栓装置であって、前記差込プラグを前記注出口に挿入し前記開口予定部を開封した状態で前記注出口と前記差込プラグは互いに係合する環状の凹部と凸部をそれぞれ備えることを特徴とする紙容器の開封再栓装置。
【請求項４】
請求項１又は請求項２に記載の紙容器の開封再栓装置であって、前記注出口と前記差込プラグは互いに螺合することを特徴とする紙容器の開封再栓装置。
【発明の詳細な説明】
【技術分野】
【０００１】
本発明は液体食品を充填した紙容器に取付ける開封再栓装置に関し、詳しくは紙容器を開封して液体食品を注出し且つ再封できるコストの安い開封再栓装置に関する。
【背景技術】
【０００２】
従来、内容液が略1リットルを超えるような大型の紙容器は、一度開封すると使い切るか別の容器に内容液を移す必要があった。これを解決する紙容器の開封再栓装置に関する従来技術として特許文献１に掲載の内容が知られている。図１１に示すように、開封再栓装置２１は、封止用フィルム２４で閉塞された紙容器の頂面２２の開口部２２Ａの周縁部に沿ってベース部２５が接着され、このベース部２５にリテーナ２６が内螺合され、リテーナ２６の上部にスクリューキャップ２７が外螺合される。
【０００３】
リテーナ２６の下端には封止用フィルム２４を突き破るための尖端部２６Ｃが形成され、リテーナ２６とスクリューキャップ２７は溶着部２８にてスポット溶接される。スクリューキャップ２７を取り外す方向Ｅに回転すると、キャップ２７とリテーナ２６が一体となりベース部２５内を下降して封止用フィルム２４を破り、さらに溶着部２８を破断してキャップ２７が容易に外れる。紙容器はキャップ２７で再栓できる。
【先行技術文献】
【特許文献】
【０００４】
【特許文献１】特開平１１−３４９０２４号公報
【発明の概要】
【発明が解決しようとする課題】
【０００５】
ところが、この開封再栓装置は螺合構造が複雑でコストが高いという問題があった。そこで、本発明はかかる従来技術の問題に鑑みなされたものであって、簡単な構造で開封及び再栓が容易にできてコストが安い紙容器の開封再栓装置を提供することを目的とする。
【課題を解決するための手段】
【０００６】
請求項１の発明は、紙基材を折り曲げて頂面と底面と複数の側面を形成して成る紙容器本体に備える紙容器の開封再栓装置であって、前記開封再栓装置は前記頂面に形成された内容液注出用の開口予定部を覆って前記頂面に固着される本体部と、前記開口予定部を開封及び再栓する差込プラグとから成る。そして、前記本体部の外縁部に前記差込プラグを着脱自在に保持する保持部を備える一方、前記本体部に前記開口予定部と同芯で内容液の注出口が前記差込プラグの差込口を兼ねて形成されることを特徴としている。
【０００７】
請求項２の発明は、請求項１に記載の紙容器の開封再栓装置であって、前記本体部に前記注出口を覆うカバーを備えることを特徴としている。
【０００８】
請求項３の発明は、請求項１又は請求項２に記載の紙容器の開封再栓装置であって、前記差込プラグを前記注出口に挿入し前記開口予定部を開封した状態で、前記注出口と前記差込プラグは互いに係合する環状の凹部と凸部をそれぞれ備えることを特徴としている。
【０００９】
請求項４の発明は、請求項１又は請求項２に記載の紙容器の開封再栓装置であって、前記注出口と前記差込プラグは互いに螺合することを特徴としている。
【発明の効果】
【００１０】
請求項１の発明によれば、前記開封再栓装置は前記頂面に形成された内容液注出用の開口予定部を覆って前記頂面に固着される本体部と、前記開口予定部を開封及び再栓する差込プラグとから成る。ここで、前記本体部の外縁部に前記差込プラグを着脱自在に保持する保持部を備える一方、前記本体部に前記開口予定部と同芯で内容液の注出口が前記差込プラグの差込口を兼ねて形成される。このように、前記開封再栓装置は簡単な構造で容易に製作できるため前記開封再栓装置の製作コストが安くできる。
【００１１】
差込プラグは本体部の外縁部の保持部に収納されるので紙容器の搬送時の外力によるダメージが防止できる。そして、前記本体部に前記開口予定部と同芯で円筒状の注出口が前記差込プラグの差込口を兼ねて形成されるので、差込プラグを注出口に挿入するだけで前記開口予定部を確実簡単に開口できて注出口から内容液をスムーズに注出できる。
【００１２】
請求項２の発明によれば、前記本体部に前記注出口を覆うカバーを備えるので、前記開封再栓装置の未使用期間中に注出口内にゴミ等が付着しないので内容液への混入を防止できるため衛生性が保持できる。
【００１３】
請求項３の発明によれば、前記差込プラグを前記注出口に挿入し前記開口予定部を開封した状態で前記注出口と前記差込プラグが互いに係合するための凹部と凸部は簡単な環状構造なので製作コストが安い。そして、再栓時には挿入した状態の前記差込プラグを凹部と凸部によって前記注出口に安定保持して確実に簡易密封ができるので再栓効果が向上する。
【００１４】
請求項４の発明によれば、前記注出口と前記差込プラグは互いに螺合する構造なので、前記差込プラグを安定して回転挿入しながら確実且つ容易に前記開口予定部が開封できる。さらに、螺合構造なので簡易密封の精度が向上するので再栓効果が確実で前記開封再栓装置の品質性が向上する。
【図面の簡単な説明】
【００１５】
【図１】本発明の第一の実施形態における、外観が直方体形状の紙容器本体１ａの開口予定部５を覆って開封再栓装置６を取付けた状態を示す紙容器１の斜視図である。
【図２】本発明の第一の実施形態における、図１のＡ−Ａ断面図で、開封再栓装置６の断面形状を示す図である。
【図３】本発明の第一の実施形態における、図２のＢ−Ｂ矢視図で、開封再栓装置６の平面一部透視図である。
【図４】本発明の第一の実施形態における、紙容器本体１ａを形成する帯状包材１５の展開平面図である。
【図５】本発明の第一の実施形態における、図４のＣ−Ｃ断面図で、開口予定部５の状態を示す図である。
【図６】本発明の第一の実施形態における、紙容器１を開封するため開封再栓装置６の保持部１２から差込プラグ１１を取外して、カバー１３を除いた状態の注出口１０に差込プラグ１１を挿入する状態を示す断面図である。
【図７】本発明の第一の実施形態における、差込プラグ１１の把持部１１ｂを押込んで開口予定部５を開封した状態を示す断面図である。
【図８】本発明の第一の実施形態における、開口予定部５を開封した後に差込プラグ１１を保持部１２に収納し、紙容器１を傾けて内容液Ｋを注出口１０より注出する状態を示す断面図である。
【図９】本発明の第二の実施形態における、紙容器を開封するために差込プラグ１４を注出口１０に螺合して挿入しようとする状態を示す断面図である。
【図１０】本発明の第二の実施形態における、差込プラグ１４で開口予定部５を開封した状態を示す断面図である。
【図１１】従来例における、封止用フィルム２４で閉塞された開口予定部２２Ａに沿ってベース部２５が固着され、このベース部２５に内螺合されたリテーナ２６の上部にスクリューキャップ２７を外螺合して成る開封再栓装置２１の状態を示す断面図である。
【発明を実施するための形態】
【００１６】
＜本発明の第一の実施形態＞
以下に、本発明の第一の実施形態を図１〜図８に基づいて説明する。
＜紙容器の開封再栓装置の構成＞
【００１７】
図１、図２、図３に示すように、紙容器１は紙基材を折り曲げて矩形の頂面２と底面３と四側面４（正面４ａ、裏面４ｂ、側面４ｃ、側面４ｄ）で外観が直方体の紙容器本体１ａか形成される。頂面２にはジュース等の内容液を注出するための円形の開口予定部５が形成され、この開口予定部５を覆って樹脂製の開封再栓装置６を取付ける。
【００１８】
開封再栓装置６は平面視略矩形状で本体部７の天面８が幅Ｗ、長さＳで四隅を弧状に形成される。底面９は天面８と平行で、天面８と底面９間の厚さＴである。本体部７に開口予定部５と同芯で前記差込プラグの差込口を兼ねる円筒状の注出口１０が頂面８から底面９を貫通して形成される。
【００１９】
開口予定部５を開封及び再栓するための差込プラグ１１を着脱自在に水平に保持する保持部１２を本体部７に備える。より詳しくは、この保持部１２は本体部７の一端部７ａを天面８側に薄肉部８ａを残して底面９まで略弧状に抉って形成される。さらに、薄肉部８ａの先端部は差込プラグ１１を保持部１２内に安定して保持するため突起部８ｂが形成される。一方、本体部７の他端部７ｂは天面８から底面９に亘って注出口１０に向かって傾斜部７ｃが形成される。
【００２０】
差込プラグ１１は開封のための挿入部１１ａと、挿入部１１ａを押込むための把持部１１ｂとから成る。挿入部１１ａは断面円形状でその直径Ｄは開口予定部５の直径Ｄ１と同じで、先端部１１ｃは開封容易とするためα＝略４５度の傾斜を備える。
【００２１】
把持部１１ｂは矩形板状で幅Ｄ２は直径Ｄより大きく、注出口１０の内径Ｄ３は挿入部１１ａを挿入容易とするため直径Ｄより僅かに大きい。挿入した差込プラグ１１を注出口１０に安定して嵌合保持するため、差込プラグ１１に環状の凸部１１ｄと注出口１０に環状の凹部１０ａがそれぞれ一組形成される。
【００２２】
本体部７の一端部７ａから他端部ｂに至って天面８にカバー１３を備え、このカバー１３は他端部７ｂを覆うように折曲げ部１３ｂが形成される。このため、内容液を注ぐ側である他端部７ｂを使用時まで埃等を避けて保護できるので衛生性が向上する。
【００２３】
図４に示すように、帯状の包材１５には紙容器本体１ａを成型容易とするための複数の折り目１８が形成される。より詳しくは、紙容器一個分に該当する領域Ｃにおいて、縦方向の折り目１６ａ、１６ｂ、１６ｃ、１６ｄ、横方向の折り目１７ａ、１７ｂ、１７ｃ、１７ｄ、斜め方向の８本の折り目１８が形成される。上記、紙容器本体１ａの正面４ａ側の頂面２に該当する領域に内容液を注ぐための円形の開口予定部５が形成される。
【００２４】
図５に示すように、包材１５の構成は、外側から内側にかけて順に、外側層１５ａ、紙基材１５ｂ、接着層１５ｃ、バリヤー層１５ｄ、二層の内側層１５ｅから成り、紙基材１５ｂの外側面にデザイン等１５ｆが予め印刷される。外側層１５ａ、内側層１５ｅは低密度ポリエチレン樹脂、接着層１５ｃはポリエチレン或いはエチレン共重合体等の樹脂、バリヤー層１５ｄはアルミ箔等で形成される。開口予定部５は開口容易とするために紙基材１５ｂが円形状に切り抜かれる。
【００２５】
「開封再栓装置付き紙容器の製造工程の説明」
図示しない充填機において、帯状包材１５を下方に搬送しながら両端部を重ねて筒状に縦線シールして、内容液を充填した後に、横線シールして紙容器一個分に該当する領域Ｅを切離して原型容器を形成する。そして、縦方向の折り目１６ａ、１６ｂ、１６ｃ、１６ｄ、横方向の折り目１７ａ、１７ｂ、１７ｄ、１７ｅ、及び斜め方向の複数の折り目１８を折り曲げて、矩形の頂面２と底面３と四側面４から成る外観直方体形状の紙容器本体１ａが連続形成される。
【００２６】
開封再栓装置６を紙容器本体１ａの頂面２に取付ける方法は、図示しない装置で底面９をマイクロフレーム等で溶融し、頂面２の開口予定部５に芯合わせして固着する。
【００２７】
＜紙容器の開封再栓装置の作用＞
上記、差込プラグ１１は開封のための挿入部１１ａと、挿入部１１ａを押込むための把持部１１ｂとから成り、挿入部１１ａは断面円形状でその直径Ｄは開口予定部５の直径Ｄ１と同じで、その先端部１１ｃは開封容易とするためα＝略４５度の傾斜を備える。
【００２８】
このため、図６．図７に示すように、差込プラグ１１を注出口１０に押込むと容易に開口予定部５を突刺して開口部５ａを形成することができる。さらに差込プラグ１１を押込みむと、差込プラグ１１の凸部１１ｄと注出口１０の凹部１０ａが嵌合して差込プラグ１１が注出口１０内で安定して保持される。
【００２９】
図８に示すように、内容液を注出口１０から注出するときには差込プラグ１１を注出口１０から引抜いて本体部６の保持部１２に収納できるので使用勝手に優れ便利である。そして、紙容器１を傾斜すると、内容液は矢印Ｋに示すように注出口１０から容易に注出することができる。このとき、上記、本体部７の他端部７ｂは天面８から底面９に亘って注出口１０に向かって傾斜部７ｃが形成されるので内容液は本体部７に沿って液垂れすることなく流出するので衛生性が向上する。
【００３０】
所望の内容液を注出した後に再栓する場合には、差込プラグ１１を再び注出口１０に押込んで図７の状態に戻すと、差込プラグ１１の凸部１１ｄと注出口１０の凹部１０ａが嵌合することに加えて、挿入部１１ａの直径Ｄは紙容器１の開口部５の直径Ｄ１と同じなので、差込プラグ１１によって開封された開口部５を確実に簡易密封することができる。このため、利便性に優れ、内容液の注出口１０からの漏れを確実に防止できる。
【００３１】
＜本発明の第二の実施形態＞
本発明の第二の実施形態を図９、図１０に基づいて説明するが、図２、図３、図６、図７と同様の構成に関しては同符号を用いて重複する説明を省く。
【００３２】
図９、図１０に示すように、差込プラグ１４と注出口１０にそれぞれ雄螺子Ｐと雌螺子Ｑが形成されるので、差込プラグ１４をＳ方向に回転すると差込プラグ１４は注出口１０と螺合して容易に下降する。
【００３３】
差込プラグ１４が下降すると、開封突起１１ｃは略４５度の傾斜を備えるので開口予定部５を回転しながら突刺して容易に開封部５ａを形成することができる。この状態で、差込プラグ１４と注出口１０は雄螺子Ｐと雌螺子Ｑが嵌合して確実に簡易密閉できる。そして、差込プラグ１４を外して注出口１０から内容液を注出できる。
【００３４】
以上、本発明の実施例を図面に基づいて説明したが、具体的な構成はこの実施例に限られるものではなく本発明の要旨を逸脱しない範囲の設計変更等があっても本発明に含まれる。
【００３５】
たとえば、開封再栓装置６の平面視形状は、他端部７ｂが注出口１０を囲むように円形状にして一端部７ａと連結すると平面視略三角形状に成り、開封再栓装置６の形状の種類を増やすことができる。カバー１３の領域は注出口１０だけを覆うように範囲限定することもできる。開封突起１１ａの先端部１１ｃは円錐状に形成しても良い。差込プラグ１１の環状の凸部１１ｃと注出口１０の凹部１０ａは複数組形成しても良い。差込プラグ１４の回転方向Ｓは右回転で下降する構成でも構わない。開封再栓装置６は、頂面が屋根状の紙容器や、底面と複数の側面で形成された各原型容器に内容液を充填した後で頂面を密封形成する方法の紙容器に対しても適用することができる。
【産業上の利用可能性】
【００３６】
この発明は、流動性食品を包装充填する包装容器の製造に適用することができる。
【符号の説明】
【００３７】
１ａ  紙容器本体
２  頂面
５  開口予定部
６  開封再栓装置
７  本体部
８  天面
９  底面
１０  注出口
１０ａ  凹部
１１  差込プラグ
１１ａ  挿入部
１１ｂ  把持部
１１ｃ  先端部
１１ｄ  凸部
１２  保持部
【図１】
0005489168.tif 000002
【図２】
0005489168.tif 000003
【図３】
0005489168.tif 000004
【図４】
0005489168.tif 000005
【図５】
0005489168.tif 000006
【図６】
0005489168.tif 000007
【図７】
0005489168.tif 000008
【図８】
0005489168.tif 000009
【図９】
0005489168.tif 000010
【図１０】
0005489168.tif 000011
【図１１】
0005489168.tif 000012